Podtech/llm-jp-corpus-v4-ja_patent huggingface dataset:
(57)【要約】【課題】  本発明は、使用面にビニールでコーティングを施した素材に切り込みを入れ、面テープ並びに止め具を取り付けて、組み立てて使用できるように工夫した爪切りシートを提供する。【解決手段】  本体表面の使用面にビニールでコーティングを施した長方形の素材を縦に使い、下辺部に左右より切り込みを途中まで設け、連結部を残して、ベルト部となし、面テープを取り付け、上辺部は左右の角部にそれぞれ止め具を取り付けて組み立てることを特徴とする爪切りシート。【選択図】図１
2007236901.tif 000002
【特許請求の範囲】
【請求項１】
本体表面の使用面にビニールでコーティングを施した長方形の素材を縦に使い、下辺部に、左右より切り込みを途中まで設け、連結部を残して、ベルト部となし、面テープを取り付け、上辺左右の角部にそれぞれ止め具を取り付けて組み立てることを特徴とする爪切りシート。
【発明の詳細な説明】
【技術分野】
【０００１】  本発明は、使用面にビニールでコーティングを施した素材に切り込みを入れ、面テープならびに止め具を取り付けて、組み立てて使用できるように工夫した爪切りシートに関するものである。
【背景技術】
【０００２】  従来、手足の爪を切るとき、ティシュペーパーや新聞紙などを敷いて、爪を切るのが一般的であった。
【特許文献】
【発明の開示】
【発明が解決しようとする課題】
【０００３】  それにはつぎのような問題点があった。
（イ）切った爪が他へ飛び散ったりする。
（ロ）介護の場では、患者の爪切りは布団の上などで不安定であり、敷いたものがずれて    しまったりする。
【課題を解決するための手段】
【０００４】  本体表面の使用面にビニールでコーティングを施した長方形の素材を縦に使い、下辺部に、左右より切り込みを途中まで設け、連結部を残して、ベルト部となし、面テープを取り付け、上辺左右の角部にそれぞれ止め具を取り付けて組み立てることを特徴とする爪切りシート。
【発明の効果】
【０００５】  手ならびに足が固定されることにより、ずれることなく、切った爪が飛び散らず、受けることができる。
また、使用面をビニールでコーティングした素材にすることにより、適度な張りと、柔軟性とすべり良さを合わせもち、ベルトと取め具を外したとき、切った爪がまとまり、捨てるとき便利である。
【発明を実施するための最良の形態】
【０００６】  以下、本発明の実施の形態を説明する。
（イ）ビニールでコーティングを施した本体（１ａ）の下辺部に連結部（６）を残して左    右から切り込みを入れ、ベルト部（７）を設ける。
（ロ）上辺左右の角部（４）に一対ずつ止め具（９）を取り付ける。
（ハ）ベルト部（７）の右端に、面テープ（８ａ）を取り付ける。
（ニ）本体（１ｂ）の上、下の適所に面テープ（１０ａ）、面テープ（１０ｂ）を取り付ける。
（ホ）本体（１ｂ）のベルト部（７）の右端に面テープ（８ｂ）を取り付ける。
本発明は以上のような構成である。
本発明を使用するときは、本体（１ａ）の上辺左右の角部（４）に取り付けた止め具（９）を止め合わせる。
それで、上辺、左辺、右辺の三方が立ち上り、側板（３）となる。
手または足を連結部（６）に乗せてベルト部（７）の両端の面テープ（８ａ）、面テープ（８ｂ）を止め合わせる。
これで、安定した位置で爪を切ることができる。
他にこぼれ散ったりすることを防止できる。
【図面の簡単な説明】
【０００７】
【図１】  本発明の斜視図である。
【図２】  本発明の展開状態を示した本体の表面図である。
【図３】  本発明の展開状態を示した本体の裏面図である。
【図４】  本発明の収納するときのたたみ方の説明図である。
【図５】  本発明の収納するときのたたんだ状態を示した説明図である。
【図６】  本発明の使用状態を示した斜視図で手の使用状態を示した説明図である。
【図７】  本発明の使用状態を示した斜視図で足の使用状態を示した説明図である。
【符号の説明】
【０００８】    １ａ    本体表面
１ｂ    本体裏面
２      底面部
３      側板
４      角部
５      切り込み部
６      連結部
７      ベルト部
８ａ    面テープ雄片
８ｂ    面テープ雌片
９      止め具
１０ａ  面テープ雄片
１０ｂ  面テープ雌片
【図１】
2007236901.tif 000003
【図２】
2007236901.tif 000004
【図３】
2007236901.tif 000005
【図４】
2007236901.tif 000006
【図５】
2007236901.tif 000007
【図６】
2007236901.tif 000008
【図７】
2007236901.tif 000009
(57)【要約】【課題】ボクシングの、動体視力の向上を目的として、反射神経を養い、打撃による練習により、ケガなどを防ぎ、より安全に、デフィンス技術の向上を測るための練習が出来る動具で、空気をクッション材と見たてた、手のむれないボクシング、グローブ代用動具を提供する。【解決手段】空気入りのゴムボールに、１、２の用に、帯状形熊をした、ゴムなどの素材を、両側に付け、手のひらで、互いを絞めて、握れる用に止める。そうすることで、あらゆる手の大きさにも対応することが出来る。３の厚みとなる分部が、指を圧迫して、手の握りを、より強くしてくれ、球形であることで、ボールの圧力が、手の甲を、より押しあげてくれ、激しい動きにも、手をしっかりと、互いが挟み合ってくれる。従来の固いグローブの衝撃に変わり、収縮性のあるゴムに、空気を入れ、クッションの役割とさせた、当っても、柔らかいボールを、グローブの代用として、使えることを特徴とする。【選択図】図１
2007236907.tif 000002
【特許請求の範囲】
【請求項１】
空気入りゴムボールの両側に、手の握りとなる帯状形熊をした、ゴムなどの素材を、図の１、２の用な形に付け、図２の用に、手で握れる形として、空気の層をクッション材とする。
以上のごとく構成された、ボクシング、グローブ代用の練習具。
【発明の詳細な説明】
【技術分野】
【０００１】  本発明は、ボールのエアーを、クッション材とした物で、ボクシング、グローブの要素をかねそなえた、動体視力の向上を測ることを目的とした練習動具に関するものである。
【背景技術】
【０００２】  従来、ボクシングのグローブの中身と言えば、綿やスポンジ材を、圧縮した物で、それを皮で包む構造で、固くて重い物で、当たると、ケガをすることが多かった。
【発明の開示】
【発明が解決しようとする課題】
【０００３】  パンチによる脳えの、ダメージを防ぐ事は出来ず、デフィンス技術を練習する上で、ボクシング、グローブが支流であり、重くて固く、汗で手が蒸れて、臭くなるといった不衛生を、解決することを課題とする。
【課題を解決するための手段】
【０００４】  これを図面において説明すれば、図１の用に、空気入りのボールを、手で握れる用に、１、２の握りとなる帯状のゴム素材を取り付けて、図２の用に手のひらで重ね止めて、握り絞める形となって、ボールを、グローブの用に使うことが可熊となる。
以上のような構成よりなる、ボクシングの練習具。
【発明の効果】
【０００５】  ボールのエアーが、厚いクッションの役目を果たし、顔にパンチが当たっても、ケガを減らすことが出来、汗で手が蒸れることもなくなり、ボクシング、グローブよりも軽く、より速いパンチを出せ、動体視力と反射神経の向上をかねた、デフィンス技術を鍛える練習が、出来る用になった。
【発明を実施するための最良の形熊】
【０００６】  図１の用に、空気の入ったボールの両側に、１、２の手の握りとなる帯状のゴムなどの素材を取り付け、上と下で重なり合う用に、１、２の長さをずらす。そうすることで、あらゆる手の大きさにも対応が出来、３に、厚みを付けることで、手の握りを良くし、ボールの圧力が指に加わり、より強く手を締めつけてくれることで、グローブの代用として、使用可熊な形となる。
【産業上の利用可熊性】
【０００７】  本発明は、新規性をかねた物で、工業的に量産する事が可熊であるため産業上の利用可熊性を有する。
【図面の簡単な説明】
【０００８】
【図１】  本発明の平面図である。
【図２】  本発明の重ねた斜視図である。
【符号の説明】
【０００９】１は帯状のゴム
２は帯状のゴム
３は握りとなる厚み
【図１】
2007236907.tif 000003
【図２】
2007236907.tif 000004
(57)【要約】      （修正有）【課題】従来の釣針外しは魚の口に掛かった針を外すのを主とし、呑み込んだ釣り針を外すのには向いていなかった。【解決手段】魚の口の奥に本釣り針外しの先端部２を入れる時、容易に入り易いように、先端部２が丸みがあり、且つ釣り糸及び釣り針の根元が入るように、溝５をもうける。胴部の中心部に、釣り糸が滑り難いように凸凹４を設け、胴部の後端部３も先端部と同じように丸みと溝をもうける。使用する時は、本考案の釣り針外しの、先端部２の溝５及び後端部３の溝６に釣り糸を嵌め込む、その状態で釣り針に当たる迄スライドさせ釣り針に当ったら、親指で釣り糸を押さえる、これで片方の手を放しても魚は固定される。空いた手で魚を掴み、釣り針外しを押してやれば釣り針は容易に外す事が出来る。【選択図】図１
2007236365.tif 000002
【特許請求の範囲】
【請求項１】
胴部（１）の中央部に糸押さえ用の凸凹がある、釣糸押さえ（４）を設けた釣り針外し
【請求項２】
胴部（１）の先端部（２）に丸みを付けた請求項（１）の釣り針外し
【請求項３】
先端部（２）には溝（５）を設け釣り針の根元と釣糸が入るようにした請求項（１）の釣り針外し
【請求項４】
後端部（３）は先端部（２）より形状を小さくし小さい魚にも耐応出きるようにした請求項（１）の釣り針外し
【発明の詳細な説明】
【技術分野】
【０００１】  此の発明は魚の、呑み込んだ釣り針を外す装置に関するものである。
【背景技術】
【０００２】  従来、釣り針外しは色々の物が出ているが、口元の針を外すのが殆んどで、その道具で魚の口の奥の釣り針を外すには、針外しを、針の所まで持っていったら、釣糸を釣り針り外しの柄に巻きつける等してそれを手に持ち替え片方の手で魚を持ち、釣針外しを口の置くに押しやり釣り針を外す方法が一般適であった。
【発明が解決しようとする課題】
【０００３】  このため従来の釣針外しで、釣り針を外すには技術と手間が掛かった。本発明は、こうした不便を解決するべく発明されたものである。
【課題を解決する為の手段】
【０００４】  いま其の構成を説明すると。
（い）  胴部（１）の先端部（２）を、魚の口の中に押し込んだ時、口の奥まで容易に入り易いように、丸みを持たせる。
（ろ）  先端部（２）には、釣糸が嵌り、釣り針の根元が入るように、溝（５）を設ける。
（は）  胴部（１）の中間部には親指で釣糸を押さえた時に釣糸が滑らないように凸凹が有る、釣釣糸押さえ部（４）  を設ける・
（ニ）  胴部（１）の元部は、先端部（２）と同じ様に丸みを持たせた後端部（３）を設け、先端部（２）と同じように、溝（６）を設ける。
（ホ）  後端部（３）は先端部（２）より小さくして、小さい魚に使えるようにする。
【発明を実施するための最良の形態】
【０００５】  次に本発明の実施の形態を述べると、
（イ）  魚の付いた釣糸に、先端部（２）の溝（５）及び後端部（３）の溝（６）を嵌めこむ。
（ロ）  其の状態で魚の口の奥の釣り針に当たるまで、本釣り針外しをスライドさせる。
（ハ）  親指で釣糸と凸凹部の、釣糸押さえ部（４）とをしかり押さえる。これで片方の手を離しても魚は楽に支持される。
（ニ）  空いた手で魚を掴み、本釣り針外しを口の奥に押しやれば釣り針は容易に外すことができる。
【発明の効果】
【０００６】  故に魚が呑み込んだ釣り針を外すのに、本考案の釣り針外しを使えば容易に確実に釣針まで持って行くことが出来るし、すぐに、魚の付いた釣糸と本考案の釣り針外しとを親指で容易に固定でき、片方の手を放して心配なく魚を掴む事が出来、すばやく容易に釣り針を外す事ができる。１
又これ一本で大きい魚と小さい魚との使い分けが出来る
【図面の簡単な説明】
【図１】  斜視図
【図２】  平面図
【図３】  先端部側面図
【符号の説明】
（１）  胴      （２）  先端部      （３）  後端部
（４）  釣り糸押さえ部      （５）  先端部溝
（６）  後端部溝
【図１】
2007236365.tif 000003
【図２】
2007236365.tif 000004
【図３】
2007236365.tif 000005
(57)【要約】【目的】  チャーガのもつ薬効を持続し、かつその独特の味をなくしたココア食品を得る。【解決手段】  チャーガ１重量に対し、純ココア１〜１０重量を加えて混合する。【選択図】なし【特許請求の範囲】
【請求項１】
カバノアナタケ１重量に対し、純ココア１重量以上２０重量以下となるように混合してなるココア含有食品。
【請求項２】
カバノアナタケ粉末１重量に対し、純ココア粉末１重量以上２０重量以下となるように混合した粉末からなるココア含有食品。
【請求項３】
請求項２記載の混合粉末を水又は湯に溶かしたココア含有食品。
【請求項４】
純ココアの重量が、カバノアナタケ１重量に対し、２重量以上１０重量以下である請求項２又は３記載のココア含有食品。
【発明の詳細な説明】
【技術分野】
【０００１】  本発明はチャーガを含有する食品に関する。
【背景技術】
【０００２】  チャーガ（学術名  カバノアナタケ）はアガリクスと異なり安全性が実証されており、β−グルカン、ＳＯＤ、リグニン、フラボノイド等を高単位で含み、抗老化、抗ガンなどの医学的な効能を有するキノコ類の一つである。通常は粉末にするが、温水抽出後、お茶などの飲料として販売されている。又、酵素処理したり、細胞壁を破砕したりして、吸収されやすくしたものもある。しかし、チャーガは独特の味を有し、あと味が悪く、継続して摂取する上での難点の一つとなっている。（なお、特殊な処理をしたり、焙煎して味をなくしたものは効果もなくなる。）そのため、還元麦芽糖、オリゴ糖、蜂蜜、果糖などの甘味料の他、アスコルビン酸を加えるなどしたものがあるが、独特の味は残る。
【発明の開示】
【発明が解決しようとする課題】
【０００３】  本発明は、このチャーガの独特の味、あと味の悪さといった難点を一切の化学的、物理的処理を加えることなく克服する方法及び、その応用食品に関するものである。
【発明が解決しようとする手段】
【０００４】  本発明は、独特な味を有し、飲みにくいチャーガに、一定量以上のココアを混ぜることにより、飲みやすい飲料、食品を得ることに成功した。この場合、発明者は多くの実験に基づき、ココアの量はチャーガ１に対し、１倍以上でなければならないことを見い出した。逆に、ココアが余りにも多すぎるとチャーガの効果はなくなる。そこで、本発明では、チャーガ１ｇに対し、ココアは１ｇ以上とし、チャーガの効果をもたせるためには２０ｇ以下に限定するのがよい。ここでいうココアは、純ココアをいい、ココアバターとして２０％以上含むものを基準としている。ココアとチャーガの混合物に、甘味料を加えると一層飲みやすくなる。ただし、ココアを加えずにチャーガと甘味料の組み合わせでは、チャーガの独特の味を消すことはできない。すなわち、ココアのみが、その効果を有している。これは、ココアに含まれるココアバターの風味によってもたらされると考えられる。
【０００５】実験結果（１０名の平均
2007236363.tif 000002
以上から、ココアの量はチャーガの１倍以上でなければならないことがわかる。また、味も良く、薬効もあることを期待するならば２倍以上、１０倍以下となる。
【発明の効果】
【０００６】  チャーガの独特の味、後味の悪さがココアによって消失し、飲みやすくなるのが第一の利点である。次に、チャーガの粉末と、ココアの粉末は大変良く混ざり、色もほとんど同じであり、混合したものは分離することがない。そのため、均一な混合物を得ることができる。これは、製造における大きな利点である。第三に、ココアも抗酸化作用、抗ウイルス作用、抗菌作用を有し、チャーガのみの場合よりも、人体に対する効能も高まる他、チャーガの保存性を高める。
【発明を実施するための最良の形態】
【０００７】  チャーガを微粉末とし、それ１重量に対し、純ココア微粉末１〜２０重量を加え、十分によく混合する。混合後、１重量に対し、２０〜１００重量の温水を加え、よく混ぜてチャーガ及びココアを溶かす。バター又はマーガリン１〜１０重量に対し、混合粉末１重量をバター又はマーガリンがやわらかくなる温度に加温したものに加え、よくかき混ぜてチョコレートとする。甘味をつけるために適量の甘味料を加えてもよい。
【実施例１】
【０００８】チャーガ粉末１ｇに対し、純ココア粉末２ｇを加え、よくかき混ぜる。この混合物２ｇに対し、湯５０〜２００ｍｌを加えて溶かし、次に砂糖１ｇを加え飲物とした。苦くなく飲むことができる。
【実施例２】
【０００９】  チャーガ粉末２ｇを熱湯５０ｍｌに入れ、１０分間かき混ぜた後、フィルターろ過して得られた液１０ｍｌをとり、純ココア粉末１ｇを加えて加温して溶かし、湯４０ｍｌ及び砂糖１ｇを加えて飲物とした。
【実施例３】
【００１０】  純ココア２ｇに市販バター５ｇ及びチャーガ粉末１ｇを加えて、３５℃に加熱しながら練り上げ、室温に戻し、冷蔵庫保管した。
(57)【要約】【課題】この発明は、犬の糞の放置を少しでも多く無くするために、より簡単に犬の糞を拾うための拾糞器を提供する。【解決手段】犬の糞を集めて拾うための必要器具を一体化し、手間や面倒くささを最小限にして、又、この器具を使う面白さを表現した、糞を拾うための拾糞器である。【選択図】図１
2007236364.tif 000002
【特許請求の範囲】
犬の糞を入れる器具と、蓋と兼用の糞を集め入れるコテと、ビニール袋を一体化し、なお、糞をはさむハサミとホウキを同時に装着した犬の糞を拾うための拾糞器。
【発明の詳細な説明】
【技術分野】
【０００１】この発明は、犬の糞を拾うための拾糞器である。
【背景の技術】
【０００２】従来、犬の糞を拾うのに手にビニール袋をかぶせて拾ったり、紙で包み取ったり、又、器具を使って挟み込んだりしていた。
【発明の開示】
【発明が解決しようとする課題】
【０００３】そのために次のような問題点が生じていた。
（イ）手にビニール袋や紙では匂いがついたり手が汚れる。
（ロ）器具の場合は、一回で拾わないと、少しでも残ると初めからやり直しする。
（ハ）糞を拾うのが面倒で、そのまま放置し、環境の悪化に繋がる。
本発明は、以上の問題点を解決したものである。
【課題を解決するための手段】
【０００４】糞を入れる器具本体にビニール袋を装着し、糞を集める器具は蓋で兼用し、器具本体に蓋を装着して一体化する。
尚、その上で、蓋で拾糞が難しい場所に糞をした場合のために、糞をはさんで拾うハサミと、ホウキを同時に装着してこれらも器具本体と一体化する。
以上の構成からなる犬の糞を拾うための拾糞器である。
【発明の効果】
【０００５】したがって、糞を拾うための必要器具が一体化し、糞を拾うのが簡単に、かつ、面倒くささが軽減され、又、この器具を使う面白さも加わった。
【発明を実施するための最良の形態】
【０００６】  以下、本発明の実施の形態について説明する。
（イ）器具本体（１）に蓋（兼コテ）（２）をはずしてビニール袋（３）を装着して蓋を元に戻す。
（ロ）念のためにハサミ（４）とホウキ（５）も同時に装着する。
本発明は、以上の構成からなる犬の糞を拾うための拾糞器である。
以下、使用法について説明する。
器具本体（１）から蓋（２）をはずしビニール袋（３）をセットしてその上から蓋を戻す。
散歩で犬が糞をした時、蓋をはずして、その蓋をコテとしてビニール袋の中へ糞を転がし込む。
コテで糞を転がしにくい場所の場合、ハサミで挟んでビニール袋の中へ入れる。
次に、糞を捨てる場合は、ビニール袋を本体からはずして口を閉じて捨てる。
【図面の簡単な説明】
【０００７】
【図１】  本発明の斜視図
【図２】  本発明の一体化説明図
【図３】  本発明の使用説明図
【符号の説明】
【０００８】１は、器具本体
２は、蓋（兼コテ）
３は、ビニール袋
４は、ハサミ
５は、ホウキ
６は、ビニールをかけるフック（ビニール袋が小さい場合）
７は、手さげ紐
【図１】
2007236364.tif 000003
【図２】
2007236364.tif 000004
【図３】
2007236364.tif 000005
(57)【要約】【課題】  植物や、それらに由来する木材や建築物等の害虫や害獣の防除は手間や経費がかかり、また薬剤使用による薬害等の各種問題がある。それらの問題が解決されれば、経済性向上と環境保全について多大な恩恵を得ることが出来る。本発明は、薬品を使用しない安全な害虫害獣防除を、簡便でかつ経済的な手段で実施する方法を提示するものである。【解決手段】  結晶した物質や、結晶のように微視的に規則的な内部構造を持つ物体に対し、磁束を作用させ、かつ効率良くエネルギーを吸収させる構造を有した構造体に、上記物体を設置し、それらにエネルギーを与えることにより効力を発生し、害虫と害獣等の被害を防止する害虫害獣防除装置。【選択図】図１
2007236375.tif 000002
【特許請求の範囲】
【請求項１】
結晶構造を有する物質や、微視的に規則的な内部構造を持つ物質に対し、磁束を作用させ、かつ効率良くエネルギーを吸収させる構造体に、前記した物体を設置し、外部より光などのエネルギーを与えることにより効力を発生し、害虫や害獣、害鳥等による各種損害を防止するための害虫害獣防除装置。
【発明の詳細な説明】
【技術分野】
【０００１】  本発明は、害虫や害獣等による食害等の各種損害を減らすための、害虫害獣等の防除装置に関するものである。
【背景技術】
【０００２】  害虫害獣等の防除装置でマイクロ波や光を使用するものは既に多数提案されている。本発明は電磁波を使用するものと考えられるが、前記のものに比較して異なった特徴をもつ。効果の範囲は極めて限定されているが、各種の物体を透過して効果が及ぶので、設置については対象物との距離のみを考慮すればよい。
【発明の開示】
【発明が解決しようとする課題】
【０００３】  植物や、それらに由来する木材や建築物等の害虫や害獣の防除は手間や経費がかかり、また薬剤使用による薬害等の各種問題がある。それらの問題が解決されれば、経済性向上と環境保全について多大な恩恵を得ることが出来る。本発明は、薬品を使用しない害虫害獣防除を、簡便でかつ経済的な手段で実施する方法を提示するものである。
【課題を解決するための手段】
【０００４】  結晶した物質や、結晶のように微視的に規則的な内部構造を持つ物体に対し、磁束を作用させ、かつ効率良くエネルギーを吸収させる構造を有した構造体に、上記物体を設置し、それらにエネルギーを与えることにより、害虫と害獣等の被害を防止する害虫害獣防除装置。
【発明の効果】
【０００５】  本装置は、装置を設置した場所を中心として一定の範囲内の昆虫や動物の生息を強力に抑制する効果があるので、それらが範囲内に生息することは困難となり、それらによる被害を防止することが出来る。また、本装置による効果は、確定した範囲にとどまり、他への影響が無いので、設置した範囲外の環境に影響を与えない。また効果の範囲内では植物には影響がない。即ち、本装置の効果の範囲内の植物等は害虫等から防御され、範囲外に居る限り、人間はもとより、その他の生物に何ら影響がなく、また残留物等もない。【０００６】本装置は単純な構造であり、また通常の使用では外部よりエネルギーを供給する手間もないため、設置後の管理は殆ど不要である。以上の様に、従来の害虫等防除と比較すると、総合的な経費負担ははるかに低いものとなり、薬品等の使用に留意する必要が全くない。
【発明を実施するための最良の形態】
【０００７】  本装置の構成について、図１によって説明する。内部がエネルギーを反射する容器１ｂの上部に光を取り込む取り込み窓１ａを設け、その内部に結晶物体１ｃを磁束が貫くように磁界発生器１ｄを設置する。上記のように構成した装置を、害虫や害獣から防除すべき建築物や樹木の近傍に設置することで、それらを害虫や害獣の被害から防ぐことが出来る。
【実施例】
【０００８】  防除装置の使用例を図２と図３に示す。図１は、建築物への害虫や害獣の侵入を防止するために、外壁に取り付けて使用している具体例である。図２は、果樹等の樹木への害虫の食害を防止するために、近傍の支柱に設置して使用している具体例である。
【図面の簡単な説明】
【０００９】
【図１】        害虫害獣の防除装置の断面図である。
【図２】        害虫害獣の防除装置を、倉庫の壁に取り付けて使用している使用例ある。
【図３】        害虫害獣の防除装置を、樹木の近くに設置して使用している使用例である。
【符号の説明】
【００１０】        １ａ    取り込み窓
１ｂ    容器
１ｃ    結晶した物質
１ｄ    磁束発生器
２ａ    害虫等から保護すべき建築物
２ｂ    害虫害獣防除装置
３ａ    害虫等から保護すべき樹木
３ｂ    害虫害獣防除装置
３ｃ    防除装置を設置する支柱
【図１】
2007236375.tif 000003
【図２】
2007236375.tif 000004
【図３】
2007236375.tif 000005
【手続補正書】
【提出日】平成18年4月1日(2006.4.1)
【手続補正１】
【補正対象書類名】明細書
【補正対象項目名】０００８
【補正方法】変更
【補正の内容】
【０００８】  防除装置の使用例を図２と図３に示す。図２は、建築物への害虫や害獣の侵入を防止するために、外壁に取り付けて使用している具体例である。図３は、果樹等の樹木への害虫の食害を防止するために、樹木の近傍に支柱を設置して使用している具体例である。
(57)【要約】【課題】  従来の愛犬の散歩用リードは、ロープ状なので愛犬の首や手足に絡まることが度々生じるので、修正する動作が不可欠である。【解決手段】  この発明は愛犬を散歩させるための用具で、棒状のリードに持ち手・肘固定部分を設け、棒状の先端に愛犬のハーネスをつなぐための取り付け金具を付けて成るを特徴とする、愛犬の散歩用棒状リード。【選択図】図１
2007236372.tif 000002
【特許請求の範囲】
【請求項１】
棒状のリードに持ち手、肘固定部分を設け、肘を固定させ棒状のリードの先端に愛犬のハーネスをつなぐ金具を取り付けて成るを特徴とする、愛犬の散歩用棒状リード。
【発明の詳細な説明】
【技術分野】
【０００１】  この発明は愛犬を安全に散歩を行うためのリードに関する。
【背景技術】
【０００２】  従来の愛犬の散歩用リードはロープ状のものを施したものがある。
【発明の開示】
【発明が解決しようとする課題】
【０００３】  従来の愛犬の散歩用リードはロープ状なので、首や手足に絡まることが度々おこるので、修正する動作が不可欠である。
【課題を解決するための手段】
【０００４】  棒状のリードに持ち手、肘固定部分を設け、棒状の先端に愛犬のハーネスをつなぐための取り付け金具を付けてなるを特徴とする、愛犬の散歩用棒状リード。
【発明の効果】
【０００５】  この発明は愛犬のロープ状リードに比べ、リードを棒状にすることにより、愛犬の首や手足がロープに絡まるのを防ぐ効果が働く。
また、棒状リードに持ち手・肘固定部分を設ける事により、肘が固定され、より歩行が安定する。そして、散歩中、愛犬が急に方向を変えることにより、他の交通機関と接触するのを防ぎ、安全に散歩を楽しめるなど、構成簡単にして発明目的を達成したものである。
【発明を実施するための最良の形態】
【産業上の利用可能性】
【図面の簡単な説明】
【０００６】
【図１】実施例にかかる、愛犬の散歩用棒状リードの斜視図である。
【符号の説明】
１．愛犬のハーネス取り付け金具
２．持ち手
３．肘固定部分
【図１】
2007236372.tif 000003
(57)【要約】      （修正有）【課題】従来のカワラタケ煎じ液は腐敗しやすく、毎日煎じなければならなかった。したがって、手間がたいへんで長期間飲用しにくい欠点があったので簡単に飲用できる健康茶を提供する。【解決手段】カワラタケを約２時間３０分位煮出しカワラタケの５倍濃縮液を作る。【効果】この液はペットボトル等に入れて冷蔵庫へ保存すると、約２０日間位、変化なく腐敗を防ぐことができる。飲用するのも手間がかからずにたいへん飲みやすい。カワラタケ独特の臭みをとるためにレモン汁やハチミツ等も混ぜやすく、少量でおいしく飲用できて効力も大きい。【選択図】なし【特許請求の範囲】
カワラタケの煎じ液を５倍に濃縮して、腐敗しにくく、また飲用し易く改良した健康茶
【発明の詳細な説明】
【発明の詳細な説明】
この発明はカワラタケ健康茶を誰でも簡単に飲用できるようにしたものである。
私は１９８９年に腎臓ガンに罹ってガン特有な内臓をギリギリしぼられるような猛烈な疼痛に苦しみました。知人からカワラタケの煎じ液を飲むとガンが治ると聞いて、入院からすぐ飲み始めました。飲用してから３日目の朝、あの厳しい疼痛が消えたのに気づきました。首やわきの下、腿の付根のリンパ腺の腫れも１０日目頃には消えました。右腎臓摘出手術前にはガンの症状は殆んと無くなっていました。右腎臓摘出手術後、大きな障害もなく今日まで健康で生きてくることができました。
しかし、カワラタケを毎日煎じて飲むということは、なかなか大変な手間のかかることです。煎じ液を冷蔵庫に保存しても３日目には酸味が強くなり、腐敗して飲めなくなってしまいます。カワラタケを２時間３０分位煎じて５倍濃縮ジュースを作ると冷蔵庫で２０日位は味も変化せずに腐敗を防ぐことが出来るし、服用するのもたいへんに簡単です。
したがってカワラタケ５倍濃縮ジュースを大量に生産してペットボトルに無菌状態で充填して提供することを考えました。
▲１▼カワラタケを粉砕機にかけてできるだけ粉状にする。これはカワラタケの成分をできるだけ多く抽出するためである。（カワラタケを粉砕せずに１時間煎じると、カワラタヶの成分の３５％位抽出できるが、粉状にするとほぼ５０％位成分が抽出できる）
▲２▼カワラタケ５０ｇに対して水４Ｌを入れて２時間３０分煎じると煎じ液は約０，９Ｌ抽出される。
▲３▼布製の濾器で煎じ液を濾すと約０，８Ｌ位の５倍濃縮ジュースを製造することができる。
大勢のガン患者が、この５倍濃縮ジュースを飲用して私のようにガンを克服することを願って特許出願を申し出ました。
(57)【要約】【課題】      従来の犬用餌入れは深皿状で、犬が餌を舌ですくい上げて食べる際に発生する餌の飛び散りを防ぐ事が出来なかった。【解決手段】  餌入れ内壁に円状突起物（デコボコ）を設ける事により餌入れ内での飛び散りを防ぎ、皿の縁から内側へ突起フチを設けることにより、皿の外への餌のこぼれを従来以上に防止することが出来る。【選択図】図１
2007236374.tif 000002
【特許請求の範囲】
【発明の詳細な説明】
【技術分野】
【０００１】  本発明は、一般犬用餌入れの餌こぼれ防止に関する。
【背景技術】
【背景技術】
【０００２】  従来の餌入れは餌を入れるだけの為に作られている深皿状の為、突起物（デコボコ）やフチの無いタイプが主流である。その為、犬が餌を食べる際に発生する飛び散りをカバー出来ていない。
【発明の開示】
【発明が解決しようとする課題】
【０００３】  従来の犬用餌入れは深皿状であり、餌こぼれが発生する欠点を持っていた。【０００４】  本発明は犬の餌の食べこぼしを防止する餌入れを実現する目的とする。
【課題を解決するための手段】
【０００５】  従来の餌入れの内側壁に円状突起物（デコボコ）を設置し、皿の縁から内側へこぼれ防止用のフチを設けた物ある。
【発明の効果】
【０００６】  上述したように、本発明のこぼれ防止餌入れは、内側に円状突起を設けることにより、犬が餌を食べる際に発生する飛び散りを抑え、皿淵に設けた壁にて餌皿外へのこぼれを防止する作用を発揮する。
【発明の実施するための最良の形態】
【０００７】  以下、本発明の実施の形態を図１〜図２に基づいて説明する。
【図１】
2007236374.tif 000003
【図２】
2007236374.tif 000004
【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
犬用餌入れの内壁に円状突起物（デコボコ）を設け、ドッグフードのこぼれを防止する。
【請求項２】
犬用餌入れの皿縁より内側へ突起壁（フチ）を設ける事によりドッグフードのこぼれを防止する。
【手続補正２】
【補正対象書類名】明細書
【補正対象項目名】全文
【補正方法】変更
【補正の内容】
【発明の詳細な説明】
【技術分野】
【０００１】本発明は、従来の犬用えさ入れのえさこぼれを防止に関する。
【背景技術】〔従来の技術〕【０００２】  従来の餌入れは餌を入れるだけの為に作られている深皿状の為、突起物（デコボコ・（図１Ａ・Ｂ）（サイズは図２））やフチ（図１Ｃ）（サイズは図２）の無い。その為、犬が餌を食べる際に発生する飛び散りをカバー出来ていない。
【発明の開示】
【発明が解決しようとする課題】
【０００３】  従来の犬用餌入れは深皿状であり、餌こぼれが発生する欠点を持っていた。【０００４】  本発明は犬の餌の食べこぼしをデコボコの突起物、フチを設置し食べこぼしを防止する餌入れを実現する目的とする。
【課題を解決するための手段】
【０００５】  従来の餌入れの内側壁に円状突起物（デコボコ）を設置し（図１Ａ・Ｂ）、皿の縁から内側へこぼれ防止用のフチ（図１Ｃ）を設けた物である。突起物、こぼれ防止フチのサイズは図２の通りとする。
【発明の効果】
【０００６】  上述したように、本発明のこぼれ防止餌入れは、内側に円状突起を設けることにより（図１Ａ・Ｂ）、犬が餌を食べる際に発生する飛び散りを抑え、皿淵に設けたフチ（図１Ｃ）にて餌皿外へのこぼれを防止する作用を発揮する。突起物、こぼれ防止フチのサイズは図２の通りとする。
【発明の実施するための最良の形態】
【０００７】  以下、本発明の実施の形態を図１（側・内面図）〜図２（各箇所サイズ図）の通りとし、犬が餌を食べる際に発生する食べこぼしを突起物、フチにより今まで以上に防止する事が出来る。
【図面の簡単な説明】
【０００８】
【図１】左の図はえさ入れの側面図、右の図はえさ入れの内面図。
【図２】えさ入れの各箇所のサイズの説明図。
【０００９】
【符号の説明・図１】
内面図のＡ・Ｂ      円状突起物
内面図のＣ          フチ
【符号の説明・図２】
▲Ａ▼上段の突起物縦サイズ。
▲Ｂ▼中段の突起物縦サイズ。
▲Ｃ▼下段の突起物縦サイズ。
→各突起物の盛上りサイズ。
→フチのサイズ。
(57)【要約】      （修正有）【課題】アフリカツメガエルの孵化から幼生段階の最適な栄養管理及び水質の汚濁対策方法を提供する。【解決手段】孵化して２日目に酵母菌を与えることにより甲状腺ホルモンの分泌により成長を促進させると共に、排出物の尿素で濁った水を酵母菌により浄化する酵母菌飼育方法。【選択図】図１
2007236377.tif 000002
【特許請求の範囲】
【請求項１】
アフリカツメガエルにレバー・ホウレンソウ・すり身等の餌を与えて飼育すると水が濁り、汚染物質の影響で幼生が死んでしまった。
【請求項２】
発生から飼育にかけての失敗の多くは、水質管理・栄養の与え方・水温との関係のバランスが崩れてしまうことにある。
【請求項３】
とりわけ、孵化してから幼生に与える栄養の管理及び水質の汚濁対策にいくつかの問題があった。
【発明の詳細な説明】
【技術分野】
【０００１】    孵化して２日目に酵母菌を与える。餌として摂取することによりアフリカツメガエルは成長促進する。重ねて水槽の水は２〜３日で浄化される。飼育が容易になる。
【背景技術】
【０００２】
【非特許文献】アフリカツガエルの酵母菌飼育法（知的所有権登録  第１１４３０１）
【発明の開示】
【発明が解決しようとする課題】
【０００３】    餌として酵母菌を与えるタイミングは孵化してオタマジャクになり、動きはじめるころが最適である。【０００４】    酵母菌は排出物の尿素で濁った水を浄化する働きも認められ、栄養を損なわずに水質の管理が可能になる。
【課題を解決するための手段】
【０００５】    アフリカツメガエルを人為的に産卵させ、孵化した後水槽の水に溶かし込む形で酵母菌を与える。
【発明の効果】
【０００６】    一般の飼育では、孵化してから変態期を終了するまでが多くの困難を伴う。しかし、エトキンス氏の実験から既に明らなように自然変態では甲状腺ホルモンの分泌に密接な関連作用があるとかんがえられる。【０００７】    酵母菌を投与すると水が濁りにくくなる。このことは酵母菌が水質の浄化に大きくかかわっていることを示している。
【発明を実施するための最良の形態】
【０００８】    水に溶け込んだ形の栄養分であるため濃度をコントロールすることが容易となる。
【実施例】
【０００９】
【産業上の利用可能性】
【００１０】    両生類、魚類の孵化から幼生段階の発生に効果を示す。
【図面の簡単な説明】
【００１１】    チロキシンの濃度（右上がりの線）を示す。変態を起こすには、水槽内のチロキシンの濃度が一定以上必要であることを示す。【００１２】    アフリカツメガエルの後足が生えるころ、水槽の水を変えないでおくと変態が起こり、簡単に飼育ができる。
【符号の説明】
【図１】
2007236377.tif 000003
(57)【要約】      （修正有）【課題】土の中の植物の根を切る為のシャベルを提供する。【解決手段】シャベル１の先端に切込みを設けその切込内に刃４を付けている。刃の焼入の際刃の附近に歪み亀裂が出ない様に底部に穴２をあけ溝３を設けた。【選択図】図１
2007236381.tif 000002
【特許請求の範囲】
【請求項１】
シャベルの先端に切込みを有している
【請求項２】
先端切込み刃を焼入した際に歪み、亀裂が生じない様になっているシャベル
【発明の詳細な説明】
【技術分野】
【０００１】本発明は植物の根を切る時容易に切断出来る様考案されたもの
【背景技術】
【０００２】従来シャベルで穴・溝等堀る際土の中の植物の根が出て来た時にシャベルで切ろうとすると先端部がとがっている為、根ですべって切るのに困難を容す
根を切るのに容易になされたシャベル
【発明の開示】
【発明が解決しようとする課題】
【０００３】本発明は以上の問題を解決する為、先端の切込みにより根を切るのが容易になされたものである
【課題を解決する為の手段】
【０００４】根を切るのに容易にする為、シャベルの先端部に切込みを付けたものである
【発明の効果】
【０００５】本発明を使用すれば先端部の切込みにより根が切込内に入り切込内の刃により切断が出来る様にしたものである
【発明を実施する為の最良の形態】
【０００６】  以下本発明の実施の形態を説明する
〔イ〕先端のとがったシャベル（１）に先端部に切込を設ける
〔ロ〕先端切込の底部に（２）の丸型穴・ガイド溝を付けている
〔ハ〕切込みの端に焼入刃を付ける
本発明は以上の構成によりなされている
本発明を使用する場合は土の中の根を先端の切込み内に入れて押し出して根を切りやすくしている
【図面の簡単な説明】
【０００７】
【図１】  本発明の斜視図
【符号の説明】
【０００８】（１）  シャベル本体
（２）  穴
（３）  溝
（４）  切込刃
（５）  焼入部
【図１】
2007236381.tif 000003
(57)【要約】【課題】  この発明は、薬品または電気動力などを使用せず、蚊の好む産卵場所を積極的に提供して蚊の退治をいう目的を達成する。【解決手段】  水を入れた遮光性の高い黒色容器（１）の上部に、成長したボウフラが通過できない程度の２０メッシュ深ザル（３）を取り付ける。容器上面には着脱可能な透明蓋（２）、暗がりを好むボウフラと蚊の退避場所を容器内に確保するための遮光性の高い黒色蓋（５）を取り付ける。容器上面と水面には、蚊の呼吸用の空間を確保し、２０メッシュ深ザル（３）により、成長したボウフラ・蚊を分離する。【選択図】図２
2007236359.tif 000002
【特許請求の範囲】
【請求項１】
メッシュにより成長したボウフラを隔離する蚊の産卵器。
【請求項２】
蚊の産卵を誘導するための黒色の容器および蓋、ボウフラ及び成虫の状況を確認するための透明蓋からなる蚊の産卵器。
【発明の詳細な説明】
【技術分野】
【０００１】  この発明は、蚊の好む産卵場所を設置して産卵を誘導し、成虫である蚊となるまで産卵器内に隔離することにより、飛散する蚊の数量を低減させることに関するものである。
【背景技術】
【０００２】  従来は成長して飛散した蚊に対して薬剤を散布する、電気ショックなどを用いる、などして個別に退治していた。蚊の発生を抑える方法としては、水溜りを作らない等、蚊の産卵場所をできるだけ無くすようにするものであった。しかし蚊は風にのって飛散してあらゆる水たまりを利用して産卵するため、蚊の低減にはいたらなかった。
【発明が解決しようとする課題】
【０００３】  本発明は従来のような薬品または電気動力などを使用せず、蚊の好む産卵場所を積極的に提供して蚊の退治という目的を達成する。
【課題を解決するための手段】
【０００４】  蚊と幼虫（ボウフラ）が暗所を好むのを利用するため容器全体を黒に、蓋は透明と黒の２枚、蓋の中央に円形のクリ抜きを設ける。水を入れた遮光性の高い黒色容器（１）の上部に、着脱可能な透明蓋（２）を取り付け、透明蓋の中央円形のクリ抜きに成長したボウフラが通過できない程度の２０メッシュ深ザル（３）を取り付ける。さらに深ザル（３）上面に遮光性の高い黒色蓋（５）を取り付けて暗がりを好むボウフラと蚊の退避場所を容器内部に確保し、さらに２０メッシュ内筒（４）を２０メッシュ深ザル（３）の内部に設置してボウフラの容器内部への退避を確実にする。中央を高くした透明蓋（２）と水面の間に蚊の呼吸用の空間を確保してボウフラを成長させ、透明蓋（２）に取り付けた２０メッシュ深ザル（３）により、成長したボウフラと蚊を分離する。
【発明を実施するための最良の形態】
【０００５】  開口部の２０メッシュ深ザル（３）内部に産み落とされた卵から生まれたボウフラは、メッシュをすり抜けて容器（１）底部にて成長し、呼吸をするために水面までの上下運動を行うが、成長したボウフラは２０メッシュを通り抜けできなくなり、メッシュ外側の容器内に隔離することができる。ボウフラが暗所を好み、明るい２０メッシュ深ザル（３）に留まることなく通り抜けて容器底部にて成長することは、発明人による過去の蚊の産卵経過観察により確認されている。
【発明の実施例】
【０００６】  産卵を誘引するために水には塩を適宜少量容器に入れる。蚊は透明蓋の中央に設けた２０メッシュの深ザル（３）の中に産卵する。卵より生まれた幼虫は２０メッシュの目を通り抜けて容器内の外側暗所に集まり、深ザルには戻らずに成長して成虫になり容器内の狭小空間で数日後に死に到る。ボウフラが羽化する前のサナギが安定しやすい様に、容器内面に溝を付けるなど粗く加工しておくと、成虫である蚊の数が増え、蚊の産卵器の効果がよく確認できる。黒色蓋（５）を取り外して透明蓋（２）上部から内部を確認し、容器の空間に多数の成虫および死骸が確認されたら、容器内の水を満水にして透明蓋とザルを同時に押下する。蓋（２）が水面に密着して呼吸用の空間が無くなるため、生存していた成虫とボウフラも溺死する。死骸はすくい網で取り除き、水位の確認調整を行えば産卵器としての機能を維持できるため、地球環境への負荷は無い。
【発明の効果】
【０００７】  蚊を追い払うまたは殺虫することで身を守るという方法には限界がある。地球温暖化が進むなかでは、異常気象などで蚊の増殖を促進する要因が増加するため、蚊の発生つまり蚊の飛散を元から抑えることが人と動物の健康維持のために重要である。日がよく当たる明るい場所で家畜・ペットなどの近くに蚊の産卵器を複数配置すれば、黒色産卵器を暗所の産卵場所として吸血した直後の蚊が産卵するため捕獲効果が大きくなる。
【図面の簡単な説明】
【０００８】
【図１】  本発明の斜視図である。
【図２】  本発明の断面図である。
【図３】  本発明の平面図である。
【符号の説明】
【０００９】  １  黒色容器
２  透明蓋
３  ２０メッシュ深ザル
４  ２０メッシュ内筒
５  黒色蓋
【図１】
2007236359.tif 000003
【図２】
2007236359.tif 000004
【図３】
2007236359.tif 000005
(57)【要約】【課題】従来の、ブリッジ内部に撥ね上げ機構を具備した視力矯正用撥ね上げ式眼鏡フレームは、可動フレームの保持に摩擦抵抗を利用するため機構内部に合成樹脂を使用していた。前記撥ね上げ式眼鏡フレームの可動フレームは、合成樹脂が経年変化等によって硬化や磨耗した場合、フレームの保持力が低下し回転動作に緩みやガタつきを生じた。修理する為には、通常、眼鏡の専門家が合成樹脂自体を交換しなければならないという難点があった。【解決手段】可動フレームに緩みやガタつきが生じても、普及品のネジ回しで、良好な作動状態に回復できるよう、回転動作する機構に、コイルバネを内蔵し、コイルバネの応力を外部に取り付けたネジによって調整できるようにした。また、回転動作軸の磨耗を防止し、且つ可動フレームを所定の位置に安定させる目的で、回転動作軸が摩擦抵抗ではなく、コイルバネの応力によって支持されるよう回転動作軸上に滑り止め用の凹部を設けた。【選択図】図２
2007328307.tif 000002
【特許請求の範囲】
【請求項１】
可動フレームの、回転動作力を調整可能にする機構を備えたことを特徴とする、撥ね上げ式眼鏡フレーム。
【請求項２】
前記調整機構は、ブリッジ部に、回転動作調整用のコイルバネを備えたことを特徴とする、請求項１記載の、撥ね上げ式眼鏡フレーム。
【発明の詳細な説明】
【技術分野】
【０００１】本発明は、撥ね上げ式眼鏡フレームに関するものであり、撥ね上げ機構に工夫を加えることによって、撥ね上げ動作部の調整および修理を簡単に行えるようにしたものである。
【背景技術】
【０００２】従来の、ブリッジに撥ね上げ機構を具備した視力矯正用眼鏡フレームは、機構内部に合成樹脂を用いていた。この例として特許文献１に開示されているものがある。
【特許文献１】特許公開２００３−１５０８９号公報
【発明の開示】
【発明が解決しようとする課題】
【０００３】しかしながら、以上の技術によれば、回転動作部の微調整ができない為、合成樹脂の経年変化等による硬化や磨耗によって、可動フレームの動作が鈍った場合、機構内部に内蔵された部品を交換する以外に、調整及び修理ができなかった。
そこで、この発明は、回転動作部の調整を可能にし、使用者にとって常に快適な回転動作を有した、撥ね上げ式眼鏡フレームを提供することを課題とする。
【課題を解決するための手段】
【０００４】以上の課題を解決するために、第一発明は、ブリッジ部に、回転動作調整機構を備えたことを特徴とする眼鏡フレームである。
また、第二発明は、ブリッジ部に、回転動作調整機構を設け、この調整機構は、機構内部に組み込まれたコイルバネによって動作することを特徴とする眼鏡フレームである。
【発明の効果】
【０００５】第一発明、第二発明によれば、可動フレームの回転動作軸がコイルバネによって支持されるので、可動フレームの動きにガタつきが生じても、コイルバネの応力を外部に取り付けられたネジによって調整できるため、良好な作動状態に戻すことができる。
【発明を実施するための最良の形態】
【０００６】この発明の一実施形態を、図２に示す。
眼鏡枠本体は金属製であり、この本体の中央には、左右のリムを接続するブリッジ２が一体的に設けられている。このブリッジ内部には、滑り止め用の凹部を有した回転動作軸１が内蔵されている。この回動動作軸１は、コイルバネ５の先端にとりつけられたピン４によって支持され、このコイルバネ５は、外部から調整可能な応力調整ネジ６によって円筒スリーブ３に内蔵されている。ピン４、コイルバネ５及び応力調整ネジ６を内蔵した円筒スリーブ３はブリッジの裏側左右２箇所に取り付けられている。【０００７】「実施形態の効果」
この実施形態によれば、ねじ回しで応力調整ネジ６を調整する事によって、コイルバネ５の応力を調整できる為、可動フレームの動きにガタツキが生じても、簡単に修正できる。また、コイルバネ５と回転動作軸１に設けられた半円球状の凹部の働きで、可動フレームは開閉時において、それぞれの所定の位置にクリック音を発しながらキチンと保持されるので、使い勝手がよくなる。【０００８】「他の実施形態」
図２の実施形態では、回転動作軸上の滑り止めは半円球状の凹部であったが、他の実施形態では、滑り止めは回転動作軸の周囲に横方向に走る溝を複数設けた歯車状の物でもよい。
【図面の簡単な説明】
【０００９】
【図１】この発明の一実施形態を示す正面図である。
【図２】本発明の拡大断面図である。
【符号の説明】
【００１０】１ブリッジ
２回転動作軸
３円筒スリーブ
４ピン
５コイルバネ
６応力調整ネジ
【図１】
2007328307.tif 000003
【図２】
2007328307.tif 000004
(57)【要約】【課題】  顧客の注文データにより予測した注文日に注文を促進する為に御用聞きをする手段として電子メールを利用し、予測された注文日が適切で、電子メールを送付出来たとしても操作性が煩雑であると注文を行ってもらえない。【解決手段】  取引先の過去注文データに基づき、次回注文日を予測する手段と、注文予測日の直近日以前に、電子メールによる注文促進メールを発信する手段と、電子メール本文からＷＥＢ注文画面に遷移して、前回注文した品物、数量をＷＥＢ注文画面に自動的に表示する手段と、ＷＥＢ注文画面への遷移時に必要な一度限りの利用者認証を電子メールに記述されたＵＲＬ文字列で自動的に行える特徴を有している【選択図】図１
2007328402.tif 000002
【特許請求の範囲】
【請求項１】
電子メールによる注文促進方法であって、顧客の過去注文データに基づき、次回注文日を予測する手段と、注文予測日の直近日以前に、電子メールによる注文促進メールを発信する手段と、電子メール本文からＷＥＢ注文画面に遷移して、前回注文した品物、数量をＷＥＢ注文画面に自動的に表示する手段と、ＷＥＢ注文画面への遷移時に必要な一度限りの利用者認証を電子メールに記述されたＵＲＬ文字列で自動的に行えることを特徴とする注文促進方法。
【発明の詳細な説明】
【技術分野】
【０００１】
本発明は電子メールを利用した注文画面への誘導と一度限りの利用者認証による注文促進方法に関するものである。
【背景技術】
【０００２】
例えば、喫茶店やレストラン等が使用する食材を、複数ある仕入業者から自社に注文を行わせるには、適切なタイミングかつ、より簡単な方法で注文を行える手段を顧客に提供する必要がある。そこで、消費実績を注文頻度より計算し、次回注文日を予測し、予測された次回注文日に注文を行ってもらえるように注文促進メールを送信する。
【発明の開示】
【発明が解決しようとする課題】
【０００３】
顧客の注文データにより予測した注文日に注文を促進する為に御用聞きをする手段として電子メールを利用し、予測された注文日が適切で、電子メールを送付出来たとしても操作性が煩雑であると注文を行ってもらえない。
【課題を解決するための手段】
【０００４】
取引先の過去注文データに基づき、次回注文日を予測する手段と、注文予測日の直近日以前に、電子メールによる注文促進メールを発信する手段と、電子メール本文からＷＥＢ注文画面に遷移して、前回注文した品物、数量をＷＥＢ注文画面に自動的に表示する手段と、ＷＥＢ注文画面への遷移時に必要な一度限りの利用者認証を電子メールに記述されたＵＲＬ文字列で自動的に行える特徴を有している
【発明の効果】
【０００５】
本発明は、注文データから次回注文日を予測し、電子メール発信による注文促進機能を設け、更に電子メールの本文に一度限りの利用者認証用ＵＲＬを設けることにより、前回注文内容を表示した注文画面に遷移することにより、簡単に注文処理が出来るという効果を有する注文促進機能を提供することができるものである。
【発明を実施するための最良の形態】
【０００６】
＝＝＝注文促進システムの構成＝＝＝
以下、本発明の実施形態の注文促進システムについて、図面を用いて説明する。
【実施例１】
【０００７】
図１の構成に例示されるように、本システムでは注文を入力する画面を提供するインターネットに接続されたＷＥＢサーバ(1)と入力された注文情報を保存するデータサーバ(7)と注文日予測及び、注文促進メールを配信するインターネット(3)に接続されたサーバ(2)とインターネットからＷＥＢサーバに接続出来るＰＣ(4)，携帯電話(5)等から構成されている。
以上のように構成された注文促進システムについて、図２を用いてその動作を説明する。
まず、インターネットに接続出来るＰＣ(11)、携帯電話(12)等から注文画面(13)に接続し、利用者コードとパスワードを入力し、利用者認証後、注文を入力する。入力されたデータ(14)を用いて次回の注文日が予想され(15)、注文促進をする商品、顧客の電子メール送信用デー(16)を作成する。電子メール送信プログラム(17)は注文促進日に送信対象の電子メール送信用データを注文促進メール(18)に変換し送信する。この際、電子メール本文に注文入力画面を表示する一度限りの利用者認証が可能なURL(19)を記述しておく。
注文促進メール(18)は利用者の利用するＰＣ(11)や携帯電話(12)等に送信され、利用者はメール本文に記述されたＵＲＬより注文画面(20)に利用者認証画面を経由せずに接続できる、この際、ＵＲＬに記述されたログインキーとメール発信実績(19)に書き込まれているログインキーを照合し、同一ログインキーかつ未アクセスの場合に、認証を完了させる。その後、画面に表示された対象商品を注文する事が出来る。この際、該当ＵＲＬに一度限りの利用者認証によってアクセスした記録をデータベースサーバに記録し、再度のアクセスを許可しないようにする。
このような本発明の実施形態の注文促進システムによれば、注文者の手間を最小限に抑えることにより、注文すべきタイミングに注文促進メールを送信し、競合他社に注文を奪われずに商品の注文を受ける可能性を高くする事が出来る。
【図面の簡単な説明】
【０００８】
【図１】本発明の実施形態における注文促進システムの構成図
【図２】本発明の実施形態における注文促進システムの処理フロー
【符号の説明】
【０００９】
(1)インターネット公開サーバ
(2)注文日予測、メール発信サーバ
(3)インターネット網
(4)パソコン・ＰＤＡ
(5)携帯電話
(6)電子メール
(7)データサーバ
(11)パソコン・ＰＤＡ
(12)携帯電話
(13)利用者認証付き注文画面
(14)注文データ
(15)次回注文日予測プログラム
(16)メール発信データ
(17)電子メール発信プログラム
(18)電子メール
(19)電子メール発信履歴、ログインキーデータ
(20)メールからの自動認証注文画面
【図１】
2007328402.tif 000003
【図２】
2007328402.tif 000004